(57)【要約】本発明は、患者のための統合センサユニットを備えたベッドに関する。更に、本発明は、患者のためのセンサユニットを備えたベッドを提供する方法に関する。単純で且つ信頼性のある、患者を監視するための技術を提供するために、少なくとも一つの第一及び第二のベッドフレームセクション（１、２）を備えたベッドフレーム（３）を有するベッドが提案される。それらベッドフレームセクション（１、２）は、少なくとも一つのヒンジ（４）を用いて相互に接続される。そのベッドは、更に、センサユニット（５、５’）を有し、センサユニット（５、５’）は、ヒンジ（４）のピボット（９）に接続され、ピボット（９）の回転軸（２２）に実質的に垂直な方向（２１）におけるベッドフレームセクション（１、２）の動きを測定するよう構成されることを特徴とする。
2010500143.tif 000002
【特許請求の範囲】
【請求項１】
少なくとも一つの第一及び第二のベッドフレームセクションを備えたベッドフレームを有し、該ベッドフレームセクションが少なくとも一つのヒンジを介して相互に接続される患者用ベッドであり、センサユニットを更に有する患者用ベッドであって、
前記センサユニットが、
前記ヒンジのピボットに接続され、且つ、
前記ピボットの回転軸に実質的に垂直な方向におけるベッドフレームセクションの動きを測定するよう構成される、
ことを特徴とする患者用ベッド。
【請求項２】
前記ベッドフレームセクションの一方は、前記ピボットに堅く結合され、また、前記ベッドフレームセクションの他方は、ガイド要素であり、前記ピボットを受け入れ且つ前記ピボットが該ガイド要素内で回転できるようにするためのガイド要素を有する、
ことを特徴とする請求項１に記載のベッド。
【請求項３】
前記ガイド要素は、前記ベッドフレームセクションの一方の動きが限界値を超過しない場合には、前記ピボットが、前記ベッドフレームセクションの他方と閉じたリンケージを形成することなく、前記ピボットの回転軸に垂直に移動できるようにする緩みを有する、
ことを特徴とする請求項２に記載のベッド。
【請求項４】
前記センサユニットは、前記ピボットに堅く結合され、また、前記センサユニットのセンサ要素と前記ベッドフレームセクションの一方との恒久的な接触を確保するために、弾性要素が用いられる、
ことを特徴とする請求項１に記載のベッド。
【請求項５】
前記ピボットは、前記ヒンジを超えて延び、また、前記センサ要素は、前記ヒンジから間隔を空けて位置付けられる前記ピボットの一部に結合される、
ことを特徴とする請求項１に記載のベッド。
【請求項６】
第二のガイド要素であり、前記ピボットの前記一部を少なくとも部分的に受け入れ且つ前記ピボットが該ガイド要素内で回転できるようにするための第二のガイド要素を備え、該ガイド要素は、前記センサ要素と恒久的接触をしないベッドフレームに接続される、
ことを特徴とする請求項５に記載のベッド。
【請求項７】
当該ベッドを使用する患者の心肺能力及び／又は活動を判定するために前記センサユニットの測定信号を分析するよう構成される分析ユニットを有する、
ことを特徴とする請求項１に記載のベッド。
【請求項８】
センサユニットを備えた患者用ベッドを提供する方法であり、
前記ベッドは、少なくとも一つの第一及び第二のベッドフレームセクションを備えたベッドフレームを有し、該ベッドフレームセクションが少なくとも一つのヒンジを介して相互に接続され、
当該方法は、センサユニットが接続される置換用ピボットで前記ヒンジの元のピボットを置き換えるステップを有し、前記センサユニットは、前記ピボットの回転軸に実質的に垂直な方向における前記ベッドフレームセクションの一方の動きを測定するよう構成される、
方法。
【請求項９】
センサユニットを備えた患者用ベッドを提供する方法であり、
前記ベッドは、少なくとも一つの第一及び第二のベッドフレームセクションを備えたベッドフレームを有し、該ベッドフレームセクションが少なくとも一つのヒンジを介して相互に接続され、
当該方法は、センサユニットが接続されるピボットエクステンションを前記ヒンジの元のピボットに接続するステップを有し、前記センサユニットは、前記ピボットの回転軸に実質的に垂直な方向における前記ベッドフレームセクションの一方の動きを測定するよう構成される、
方法。
【発明の詳細な説明】
【技術分野】
【０００１】
本発明は、患者のための統合センサユニットを備えたベッドに関する。更に、本発明は、患者のためのセンサユニットを備えたベッドを提供する方法に関する。
【背景技術】
【０００２】
患者の監視は、様々な状況において、主に病院において、標準的な手段である。診断に応じて、様々なパラメータが監視され、また、様々な監視技術が知られており、それらに従って、センサユニットは、病院用ベッド又はそれと同種のものに統合される。しばしば必要とされるパラメータには、体重、心拍数、呼吸数、及び呼吸異常、並びに、例えば睡眠中の患者の特定の動作パターンがある。それには、かなりの技術的努力、及び、これらの量を測定するための様々な技術が必要とされる。特に、体重の監視にはかなりの費用が掛かる。体重測定が必要とされない患者にとっては、小さくて安価な構造がより魅力的である。また、要求に応じて、すなわち、必要とされる場合にのみ、そのような測定機器をベッドに装着することがより魅力的である。
【発明の概要】
【発明が解決しようとする課題】
【０００３】
本発明の目的は、ベッドにいる患者を監視するための単純で且つ信頼性のある技術を提供することである。
【課題を解決するための手段】
【０００４】
本発明のその目的は、少なくとも一つの第一及び第二のベッドフレームセクションを備えたベッドフレームを有し、それらのベッドフレームセクションが少なくとも一つのヒンジによって相互に接続される患者用ベッドであり、そのベッドが更にセンサユニットを有し、そのセンサユニットがそのヒンジのピボットに接続され、且つ、そのピボットの回転軸に実質的に垂直な方向におけるベッドフレームセクションの動きを測定するよう構成されることを特徴とする患者用ベッドによって実現される。
【０００５】
この目的は、本発明に従って、センサユニットを備えた患者用ベッドを提供する方法によって実現される。そのベッドは、少なくとも一つの第一及び第二のベッドフレームセクションを備えたベッドフレームを有し、それらのベッドフレームセクションは、少なくとも一つのヒンジを用いて相互に接続され、その方法は、センサユニットが接続された置換用ピボットでそのヒンジの元のピボットを置き換えるステップを有し、そのセンサユニットは、そのピボットの回転軸に実質的に垂直な方向におけるベッドフレームセクションの一つの動きを測定するよう構成される。
【０００６】
本発明は、ベッド及びセンサユニットの構造を記述する。更に、本発明は、そのベッドと共にそのセンサを取り扱う方法を記述する。本発明に従ったベッドは、例えば従来型のベッド、病院用ベッド、介護用（ケア）ベッド、カウチ（長いす）、従来型の椅子、歯医者用椅子、車椅子、（作業用）テーブル等の上に搭載される、或いは、位置する表面又はその他のデバイスとして定義される。しかしながら、本発明は、好適には、病院や養護施設の環境で適用される。従って、そのベッドは、好適には、病院用ベッド又は介護用ベッドである。
【０００７】
本発明の核となるアイデアは、そのベッドのベッドフレームにおけるヒンジにセンサユニットを統合する点にあり、特に、ベッドフレームセクションを相互に接続するために用いられるヒンジ上にセンサユニットを統合する点にある。好適には、それらセンサユニットは、そのベッドの支持面におけるヒンジに統合される。このようにして患者の動きに関する最も価値のある情報が極めて単純で且つ信頼性のある方法で取得され得るからである。その統合は、センシング機器全体の小型化を可能にするように本発明に従って実現される。更に、オンデマンドのセンサユニットの組み込みも可能である。従って、全てのベッドがこれらの統合センサユニットを備える必要はないが、関連する場合には、それらセンサユニットが装備され得る。例えば、本発明を用いることにより、普通の病院用ベッドが、集中治療用ベッドを得るべく、簡単に改良され得る。その改良は、介護職員によって為され、技術者が必要とされることはない。更に、それらセンサユニットの提案された統合は、柔軟性及び可動部の観点では、そのベッドの全体構造を制限することはない。更に、この解決策は、低コストで実現され得る。
【０００８】
本発明は、特定の種類のセンサ要素に限定されることはない。そのセンサユニットにおけるセンサ要素は、例えば、力検出型、圧力検出型、又は、加速度検出型のセンサ要素等であってもよい。そのセンサ要素は、容量測定、圧電測定、振動測定、ジャイロ測定等に基づいて動作し得る。そのセンサ要素はまた、圧力センサ又はそれと同種のものに接続される液圧要素であってもよい。
【０００９】
本発明のこれら及び他の態様は、一例として、以下の実施例及び添付図面を参照しながら以下で詳細に説明される。
【図面の簡単な説明】
【００１０】
【図１】病院用ベッドの三つのベッドフレームセクション、及び、センサユニット位置の概略図である。
【図２】第一の位置にある、本発明の第一実施例に従った、センサユニットを備えたピボットヒンジの概略図（断面図）である。
【図３】第二の位置にある、本発明の第一実施例に従った、センサユニットを備えたピボットヒンジの概略図（断面図）である。
【図４】第一の位置にある、本発明の第二実施例に従った、センサユニットを備えたピボットヒンジの概略図（断面図）である。
【図５】第二の位置にある、本発明の第二実施例に従った、センサユニットを備えたピボットヒンジの概略図（断面図）である。
【発明を実施するための形態】
【００１１】
図１は、病院用ベッドの典型的な病院用ベッドフレーム３における第一外側ベッドフレームセクション１、中間ベッドフレームセクション２、及び、第二外側ベッドフレームセクション１’を図解する。ベッドフレームセクション１、２は、患者の身長、及び、互いに関連するベッドの枠組みにおける様々な領域の位置決めに関して設定変更可能である。これは、液圧を用いて実現され、また、柔軟性のない（rigid）ピボット（旋回軸）を持つヒンジによって機械的（図示せず。）にアシストされる。ベッドフレームセクション１、２を接続する多数のヒンジ４が示されている。ヒンジ４の一つは、本発明に従ったセンサユニット５を備える。センサユニット５は、二つのベッドフレームセクション１、２の間の隙間６内に位置付けられる。センサユニット５のこの位置は、患者（図示せず。）が横たわるベッドフレームセクション１、２の力及び相対運動の測定を可能にする。このような測定は、病院用ベッドに横たわる患者の心肺能力及び／又は活動を判定するために、センサユニット５に接続される分析ユニット（図示せず。）がセンサユニット５の測定信号を分析できるようにする。その分析ユニットは、好適には、その病院用ベッドを取り扱う上で妨げとなり得るケーブル等を必要としないよう、無線通信回線を用いてセンサユニット５に接続される。特に、その分析ユニットは、患者の動きを特徴付けて心拍数、呼吸数等を抽出し、また、ある期間にわたってこれらのデータを監視するよう構成される。このような分析ユニットの構造及び働きは技術的によく知られている。
【００１２】
本発明の第一実施例に従ったセンサユニット５の構造及び位置は、図２及び図３で図解される。第一ベッドフレームセクション１及び第二ベッドフレームセクション２は、ヒンジ４を用いてそれらの外側端７、８の近くで相互に接続される。ヒンジ４のピボット９は、第一ベッドフレームセクション１のＵ字型コネクタ１１に堅く結合される。ピボット９の一方の端部１２は、Ｕ字型コネクタ１１の外側脚部１３で終了するが、ピボット９の他方の端部１４は、Ｕ字型コネクタ１１の内側脚部１５を超えて延びる。Ｕ字型コネクタ１１の二つの脚部１３、１５の間には、第二ベッドフレームセクション２のコネクタアーム１６が位置付けられる。コネクタアーム１６は、ピボット９を受け入れるボア穴１７を有する。コネクタアーム１６の側面１８は、Ｕ字型コネクタ１１の二つの脚部１３、１５の内側面１９によってガイドされる。
【００１３】
ボア穴１７は、ピボット９のためのスラックネス（緩み）を提供し、言い換えれば、ボア穴１７の直径は、ピボット９の直径よりも大きい。この緩みは、ボアホール１７におけるピボット９の回転のための空間を提供するばかりではない。第一ベッドフレームセクション１の動きが限界値を超過しない限り、第二ベッドフレームセクション２との間に閉じたリンケージ（force  closure:力拘束）を形成することなく、ピボット９が、ピボット９の回転軸２２に垂直な移動方向２１に移動できるように、追加的に、その緩みは拡げられる。言い換えれば、第一ベッドフレームセクション１は、ピボット９の回転軸２２に垂直に、すなわち、第二ベッドフレームセクション２に直接接触することなくその病院用ベッドの動作位置に対して水平に、動くことができる。
【００１４】
Ｕ字型コネクタ１１の内側脚部１５を超えて延びるピボット９の部分２３上で、Ｕ字型サポート２４は、堅く取り付けられる。Ｕ字型サポート２４は、外側のヒンジ４から十分に間隔を空けて置かれる。ピボット９の他方の端部１４は、Ｕ字型サポート２４の外側脚部２５で終了する。Ｕ字型サポート２４の外側脚部２５と内側脚部２６との間には、サポート部材２８のアーム２７が位置付けられる。サポート部材２８のアーム２７は、ピボット９の延長部分２３の一部を受け入れるボア穴２９を有する。サポート部材２８のアーム２７における側面３１は、Ｕ字型サポート２４の二つの脚部２５、２６の内面３２によってガイドされる。サポート部材２８のアーム２７には、（clamping  device）締め付け装置３３が接続される。締め付け装置３３は、サポート部材２８を第一ベッドフレームセクション１のフロントサイド（前側）３９に接続するよう構成される。
【００１５】
ボア穴２９は、ピボット９のための緩みを提供し、言い換えれば、ボア穴２９におけるピボット９の回転のための空間を提供する。ボア穴２９は、好適には油膜又は同種のものを備え、ピボット９の回転軸２２に垂直な方向における極めて小さな動きをピボット９が行えるように、構成される。しかしながら、ボア穴２９の緩みは、コネクタアーム１１におけるボア穴１７の拡げられた緩みよりも顕著に小さいものである。
【００１６】
Ｕ字型サポート２４の基本要素３５には、センサユニット５が接続される。センサユニット５は、力検出型センサ要素３６を有する。センサ要素３６と第二ベッドフレームセクション２の前側３４との間には、スプリング３８の形を採る弾性要素が備えられる。スプリング３８は、一方でセンサ要素３６と（working  contact）作業接触し、他方で第二ベッドフレームセクション２の前側３４に支えられている。このようにして、スプリング３８は、センサ要素３６と第二ベッドフレームセクション２との恒久的な接触を確かなものとする。この恒久的な接触は、センサユニット５とＵ字型サポート２４の基本要素３５との間に置かれる、例えば調節リング（図示せず）の形を採った調節ツールによってサポートされる。その調節リングを用いて、スプリング３８に初期張力がもたらされる。或いは、スプリング３８の初期張力は、そのスプリング特性のみに起因し、調節リングは使用されない。スプリング３８の初期張力のために、ボア穴２９の緩みは、事実上無効にされ、言い換えれば、Ｕ字型サポート２４は、ピボット９に直接接触する。スプリングの代わりに例えばラバーディスクのような別の弾性要素が用いられてもよい。
【００１７】
上述のような外側のヒンジ４を用いて、二つのベッドフレームセクション１、２は、ピボット９の回転軸２２の回りを回転方向４２に相互に回転することができる。センサユニット５及び／又はスプリング３８は、全ての回転位置においてセンサユニット５のセンサ要素３６が、第二ベッドフレームセクション２における対応する前側３４と、事前に張力が掛けられた状態で恒久的に接触するといった方法で、適応させられる。例えば、そのスプリングは、球形状のフードであり、センサ要素３６に押し付けられ、且つ、全ての回転位置におけるセンサ要素３６と第二ベッドフレームセクション２との恒久的な接触を確かなものとするように第二ベッドフレームセクション２の前側３４に支えられる球形状のフードの形を採用してもよい。
【００１８】
センサユニット５は、サポート部材２８を介して第一ベッドフレームセクション１に接続され、また、ヒンジ４のピボット９は、固定されて柔軟性のない位置にある。これにより、センサユニット５の正確に定義された測定位置が保証される。センサユニット５は、ピボット９に堅く結合され、また、ピボット９は、第一ベッドフレームセクション１に堅く取り付けられるサポート部材２８におけるアーム２７のボア穴２９内でガイドされるので、ピボット９の回転軸２２に実質的に垂直な移動方向２１における第一ベッドフレームセクション１の動きΔＸは、ピボット９における延長部分２３の対応する動きΔＸをもたらし、ひいては、第二ベッドフレームセクション２に対するセンサユニット５の対応する動きΔＸをもたらす（図３参照。）。センサ要素３６と第二ベッドフレームセクション２の前側３４との間の距離Ｄは、Ｄ−ΔＸまで減少する。この動きは、センサ要素３６によって感知され、その後、患者の動きや心拍数等を分析するために用いられる。言い換えれば、病院用ベッドに横たわる患者によって引き起こされる（水平方向の）力は、外側のヒンジ４における第二ベッドフレームセクション２への直接接触なしに、第一ベッドフレームセクション１から、ピボット９を介して、サポート部材２８のボア穴２９内にあるピボット９の延長部分２３によって形成されるその内側ヒンジに向け直される。コネクタアーム１６におけるボア穴１７の緩みは、好適には、第二ベッドフレームセクション２に対するセンサユニット５の最大測定動作を超えるものである。サポート部材２８におけるボア穴２９の緩みは、好適には、第一ベッドフレームセクション１の水平方向の最大動作ΔＸmaxの二倍を超えるものである。
【００１９】
本発明の第二実施例に従ったセンサユニット５’の構造及び位置は、図４及び図５で図解される。第一ベッドフレームセクション１及び第二ベッドフレームセクション２は、ヒンジ４を用いてそれらの外端７、８の近くで相互に接続される。第一ベッドフレームセクション１は、Ｕ字型コネクタ１１を有する。コネクタ１１の二つの脚部のそれぞれは、ピボット９を受け入れるボア穴１７’を有する。ピボット９の一方の端部１２は、Ｕ字型コネクタ１１の外側脚部１３で終了するが、ピボット９の他方の端部１４は、Ｕ字型コネクタ１１の内側脚部１５を超えて延びる。Ｕ字型コネクタ１１の二つの脚部１３、１５の間には、第二ベッドフレームセクション２のコネクタアーム１６が位置付けられる。ヒンジ４のピボット９は、コネクタアーム１６に堅く結合される。コネクタアーム１６の側面１８は、Ｕ字型コネクタ１１の二つの脚部１３、１５の内面１９によってガイドされる。
【００２０】
ボア穴１７’は、ピボット９のための緩みを提供し、言い換えれば、ボア穴１７’の直径は、ピボット９の直径よりも大きい。この緩みは、ボア穴１７’におけるピボット９の回転のための空間を提供するばかりではない。第一ベッドフレームセクション１の動きが限界値を超過しない限り、第一ベッドフレームセクション１との間に閉じたリンケージ（force  closure:力拘束）を形成することなく、ピボット９が、ピボット９の回転軸２２に垂直な移動方向２１に移動できるように、追加的に、その緩みは拡げられる。言い換えれば、第一ベッドフレームセクション１は、ピボット９の回転軸２２に垂直に、すなわち、第二ベッドフレームセクション２に直接接触することなくその病院用ベッドの動作位置に対して水平に、動くことができる。
【００２１】
外側のヒンジ４から十分に間隔を空けて置かれるＵ字型サポート２４は、二つの脚部２５、２６を有する。各脚部は、Ｕ字型コネクタ１１の内側脚部１５を超えて延びるピボット９の延長部分２３の一部を受け入れるボア穴２９’を有する。ピボット９における他方の端部１４は、Ｕ字型サポート２４の外側脚部２５で終了する。Ｕ字型サポート２４の外側脚部２５と内側脚部２６との間には、サポート部材２８のアーム２７が位置付けられる。サポート部材２８のアーム２７は、ピボット９に堅く取り付けられる。サポート部材２８におけるアーム２７の側面３１は、Ｕ字型サポート２４の二つの脚部２５、２６における内面３２によってガイドされる。サポート部材２８のアーム２７には、締め付け装置３３が接続される。締め付け装置３３は、サポート部材２８を第二ベッドフレームセクション２の前側３４に接続するよう構成される。
【００２２】
ボア穴２９’は、ピボット９のための緩みを提供し、言い換えれば、ボア穴２９’におけるピボット９の回転のための空間を提供する。ボア穴２９’は、好適には油膜又は同種のものを備え、ピボット９の回転軸２２に垂直な方向における極めて小さな動きをピボット９が行えるように、構成される。しかしながら、ボア穴２９’の緩みは、コネクタアーム１１の脚部１３、１５におけるボア穴１７’の拡げられた緩みよりも顕著に小さいものである。
【００２３】
Ｕ字型サポート２４の基本要素３５には、センサユニット５が接続される。センサユニット５は、力検出型センサ要素３６を有する。センサ要素３６と第一ベッドフレームセクション１の前側３９との間には、スプリング３８の形を採る弾性要素が備えられる。スプリング３８は、一方でセンサ要素３６と作業接触し、他方で第一ベッドフレームセクション１の前側３９に支えられている。このようにして、スプリング３８は、センサ要素３６と第一ベッドフレームセクション１との恒久的な接触を確かなものとする。この恒久的な接触は、センサユニット５とＵ字型サポート２４の基本要素３５との間に置かれる、例えば調節リング（図示せず）の形を採った調節ツールによってサポートされる。その調節リングを用いて、スプリング３８に初期張力がもたらされる。或いは、スプリング３８の初期張力は、そのスプリング特性のみに起因し、調節リングは使用されない。スプリング３８の初期張力のために、ボア穴２９の緩みは、事実上無効にされ、言い換えれば、Ｕ字型サポート２４は、ピボット９に直接接触する。
【００２４】
上述のような外側のヒンジ４を用いて、二つのベッドフレームセクション１、２は、ピボット９の回転軸２２の回りを回転方向４２に相互に回転することができる。全ての回転位置において、センサユニット５のセンサ要素３６は、第一ベッドフレームセクション１における対応する前側３９と、事前に張力が掛けられた状態で恒久的に接触する。センサユニット５は、サポート部材２８を介して第二ベッドフレームセクション２に接続され、また、ヒンジ４のピボット９は、固定された柔軟性のない位置にある。これにより、センサユニット５の正確に定義された測定位置が保証される。
【００２５】
ボア穴２９’の緩みがスプリング３８によって無効にされるので、ピボット９の回転軸２２に実質的に垂直な移動方向２１における第一ベッドフレームセクション１の動きΔＸは、センサ要素３６と第一ベッドフレームセクション１の前側３９との間の距離ＤのＤ−ΔＸへの減少をもたらす（図５参照。）。この動きは、センサ要素３６によって感知され、その後、患者の動きや心拍数等を分析するために用いられる。
【００２６】
言い換えれば、病院用ベッドに横たわる患者によって引き起こされる（水平方向の）力は、外側のヒンジ４における第二ベッドフレームセクション２への直接接触なしに、脚部２５、２６のボア穴２９’内におけるピボット９の延長部分２３によって形成される内側のヒンジのところで測定される。コネクタ１１の脚部１３、１５におけるボア穴１７’の緩みは、好適には、第二ベッドフレームセクション２に対するセンサユニット５の最大測定動作を超えるものである。脚部２５、２６におけるボア穴２９’の緩みは、好適には、第一ベッドフレームセクション１の水平方向の最大動作ΔＸmaxの二倍を超えるものである。
【００２７】
標準的な病院用ベッドは、そのベッドのベッドフレームセクション１、２、１’の間にあるヒンジ４に一以上のセンサユニット５、５’を備えることによって集中治療用ベッドを得るよう容易に変更され得る。好適には、病院用ベッドの全てのヒンジ４が上述のようにセンサユニット５、５’を備えるようにする。しかしながら、分析可能な結果を得るためには、一つのヒンジ４に単一のセンサユニット５、５’を備えることが適切である。これは、センサユニット５、５’が既に接続された置換用ピボット９でヒンジ４における元のピボットを置き換えることによって実現され得る。図２〜図５において、そのような置換用ピボット９が図示される。或いは、これは、センサユニット５、５’が接続されたピボットエクステンション（図示せず。）をヒンジ４における元のピボットに接続することによって実現され得る。そのようなピボットエクステンションは、好適には、その元のピボットとそのピボットエクステンションとの間のしっかりとした接続を確保するために、例えばクランプ又はそれと同種のものの形を採るファスナを有する。言い換えれば、センサユニット５、５’の配置又は置換は、そのピボット上で標準的な（coupling）連結器を用いながら、或いは、ピボット全体を置き換えながら、実現され得る。
【００２８】
センサユニット５、５’の配置手順は、以下のステップを有する。第一に、その元のピボットが置換用ピボット９によって置き換えられ、或いは、ピボットエクステンションが接続される。その後、ここではサポート部材２８の形を採る機械的な固定具が、センサユニット５、５’と恒久的接触をしないベッドフレームセクションに接続される。更に、センサユニット５、５’は、向かい合うベッドフレームセクションに対して調節される。最後に、ケーブル接続又は無線通信リンク（図示せず。）がセンサユニット５、５’とその分析ユニットとの間に確立される。
【００２９】
その分析ユニットは、予め定義された分析パターンに従って、記録された複数の信号を分析するよう構成される。この目的のために、その分析ユニットは、好適には、測定されたデータを計算し且つ演算するばかりでなく、結果を判定し且つ評価するための全てのタスクを実行するのに適した処理ユニットを有する。これは、好適には、コンピュータソフトウェアであり、そのソフトウェアがその処理ユニットで実行された場合に上述の分析ステップを実行するのに適したコンピュータ命令を有するコンピュータソフトウェアを用いて実現される。その処理ユニット自身が、ハードウェア若しくはソフトウェアの形で実現される、或いは、両者の組み合わせの形で実現される機能的モジュール又はユニットを有していてもよい。
【００３０】
本発明が前述の例示的な実施例の詳細に限定されることはなく、また、本発明がその精神又はその本質的な属性から逸脱することなく他の具体的な形で具現され得ることは当業者にとって明らかである。それゆえ、本実施例は、全ての点において例示的であり制限的なものではないものとされ、本発明の範囲は、上述の記載によるよりもむしろ添付の請求項によって示され、また、それゆえに、それら請求項に均等な意味及び範囲内に入る全ての変更は、その中に包含されるものとする。更に、単語“有する”が、他の要素やステップを除外するものではなく、単語“一つの”又は“の一つ”が、複数を除外するものではなく、また、コンピュータシステム又は他のユニットのような単一の要素が、請求項に記載される複数の手段の機能を実行し得ることは明らかである。請求項における参照符号は何れも、関連する請求項を制限するものと解釈されてはならない。
【符号の説明】
【００３１】
１      外側ベッドフレームセクション
２      中間ベッドフレームセクション
３      ベッドフレーム
４      ヒンジ
５      センサユニット
６      隙間
７      外端
８      外端
９      ピボット
１０    （空き）
１１    コネクタ
１２    ピボット端
１３    外側脚部
１４    ピボット端
１５    内側脚部
１６    コネクタアーム
１７    ボア穴
１８    側面
１９    内面
２０    （空き）
２１    移動方向
２２    回転軸
２３    延長部分
２４    サポート
２５    外側脚部
２６    内側脚部
２７    アーム
２８    サポート部材
２９    ボア穴
３０    （空き）
３１    側面
３２    内面
３３    締め付け装置
３４    前側
３５    基本要素
３６    センサ要素
３７    （空き）
３８    スプリング
３９    前側
４０    （空き）
４１    （空き）
４２    回転方向
【図１】
2010500143.tif 000003
【図２】
2010500143.tif 000004
【図３】
2010500143.tif 000005
【図４】
2010500143.tif 000006
【図５】
2010500143.tif 000007
【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
少なくとも一つの第一及び第二のベッドフレームセクションを備えたベッドフレームを有し、患者が前記ベッドフレームセクション上に横たわり、該ベッドフレームセクションが少なくとも一つのヒンジを介して相互に接続される患者用ベッドであり、センサユニットを更に有する患者用ベッドであって、
前記センサユニットが、
前記ヒンジのピボットに接続され、且つ、
前記ピボットの回転軸に実質的に垂直な方向におけるベッドフレームセクションの動きを測定するよう構成されることを特徴とし、
また、当該ベッドは更に、前記センサユニットの信号に基づいて、当該ベッドに横たわる患者の活動及び／又は心肺能力の監視をもたらすための分析ユニットを有する、
ことを特徴とする患者用ベッド。
【請求項２】
前記ベッドフレームセクションの一方は、前記ピボットに堅く結合され、また、前記ベッドフレームセクションの他方は、ガイド要素であり、前記ピボットを受け入れ且つ前記ピボットが該ガイド要素内で回転できるようにするためのガイド要素を有する、
ことを特徴とする請求項１に記載のベッド。
【請求項３】
前記ガイド要素は、前記ベッドフレームセクションの一方の動きが限界値を超過しない場合には、前記ピボットが、前記ベッドフレームセクションの他方と閉じたリンケージを形成することなく、前記ピボットの回転軸に垂直に移動できるようにする緩みを有する、
ことを特徴とする請求項２に記載のベッド。
【請求項４】
前記センサユニットは、前記ピボットに剛結合され、また、前記センサユニットのセンサ要素と前記ベッドフレームセクションの一方との恒久的な接触を確保するために、弾性要素が用いられる、
ことを特徴とする請求項１に記載のベッド。
【請求項５】
前記ピボットは、前記ヒンジを超えて延び、また、前記センサ要素は、前記ヒンジから間隔を空けて位置付けられる前記ピボットの一部に結合される、
ことを特徴とする請求項１に記載のベッド。
【請求項６】
第二のガイド要素であり、前記ピボットの前記一部を少なくとも部分的に受け入れ且つ前記ピボットが該ガイド要素内で回転できるようにするための第二のガイド要素を備え、該ガイド要素は、前記センサ要素と恒久的接触をしないベッドフレームに接続される、
ことを特徴とする請求項５に記載のベッド。
【請求項７】
当該ベッドを使用する患者の心肺能力及び／又は活動を判定するために前記センサユニットの測定信号を分析するよう構成される分析ユニットを有する、
ことを特徴とする請求項１に記載のベッド。
【請求項８】
センサユニットを備えた患者用ベッドを提供する方法であり、
前記ベッドは、少なくとも一つの第一及び第二のベッドフレームセクションを備えたベッドフレームを有し、患者が前記ベッドフレームセクション上に横たわり、該ベッドフレームセクションが少なくとも一つのヒンジを介して相互に接続され、
当該方法は、センサユニットが接続される置換用ピボットで前記ヒンジの元のピボットを置き換えるステップを有し、前記センサユニットは、前記ピボットの回転軸に実質的に垂直な方向における前記ベッドフレームセクションの一方の動きを測定するよう構成され、
当該方法は更に、前記センサユニットの信号に基づいて、前記ベッドに横たわる患者の活動及び／又は心肺能力の監視をもたらすための分析ユニットを準備するステップを有する、
方法。
【請求項９】
センサユニットを備えた患者用ベッドを提供する方法であり、
前記ベッドは、少なくとも一つの第一及び第二のベッドフレームセクションを備えたベッドフレームを有し、患者が前記ベッドフレームセクション上に横たわり、該ベッドフレームセクションが少なくとも一つのヒンジを介して相互に接続され、
当該方法は、センサユニットが接続されるピボットエクステンションを前記ヒンジの元のピボットに接続するステップを有し、前記センサユニットは、前記ピボットの回転軸に実質的に垂直な方向における前記ベッドフレームセクションの一方の動きを測定するよう構成され、
当該方法は更に、前記センサユニットの信号に基づいて、前記ベッドに横たわる患者の活動及び／又は心肺能力の監視をもたらすための分析ユニットを準備するステップを有する、
方法。
【国際調査報告】
2010500143.tif 000008
2010500143.tif 000009